(57)【要約】【課題】冷却ファンの異常に起因する悪影響を把握可能とし、遊技機を構成する種々の機器のリユースに利用することが可能な制御基板、遊技機、表示装置、リユース管理システム及び制御方法を提供する。【解決手段】本発明によれば、冷却ファンを備える遊技機用の制御基板であって、前記制御基板は、制御部及び記憶部を備え、前記制御部は、前記冷却ファンの異常の発生及び前記異常の継続時間を検出可能に構成され、且つ、前記異常の継続時間に関する情報を前記記憶部に記憶するように構成される、制御基板が提供される。【選択図】図１
2018130160.tif 000002
【特許請求の範囲】
【請求項１】
冷却ファンを備える遊技機用の制御基板であって、
前記制御基板は、制御部及び記憶部を備え、
前記制御部は、前記冷却ファンの異常の発生及び前記異常の継続時間を検出可能に構成され、且つ、前記異常の継続時間に関する情報を前記記憶部に記憶するように構成される、
制御基板。
【請求項２】
前記異常の継続時間に関する情報は、前記異常の継続時間が予め定められた閾値以上又は前記閾値を上回るかどうかを示す情報、又は、前記異常の継続時間を表す情報である、
請求項１に記載の制御基板。
【請求項３】
前記記憶部は、不揮発性メモリにより構成される、
請求項１又は請求項２に記載の制御基板。
【請求項４】
前記制御部は、前記制御基板の稼働時間を前記記憶部に記憶するように構成される、
請求項１〜請求項３の何れか１つに記載の制御基板。
【請求項５】
請求項１〜請求項４の何れか１つに記載の制御基板が組み込まれた遊技機。
【請求項６】
前記冷却ファンの異常を検出する異常検出部を備え、
前記異常検出部は、前記異常の発生を前記制御部に通知するように構成される、
請求項５に記載の遊技機。
【請求項７】
前記制御部は、前記異常の継続時間を計測するように構成される、
請求項６に記載の遊技機。
【請求項８】
前記異常が発生した旨を報知する報知部を備える、
請求項５〜請求項７の何れか１つに記載の遊技機。
【請求項９】
請求項１〜請求項４の何れか１つに記載の制御基板を備え、且つ遊技機に組み込まれる表示装置。
【請求項１０】
請求項５〜請求項８の何れか１つに記載の遊技機と、管理装置と、データベースと、を備えるリユース管理システムであって、
前記遊技機は、前記管理装置と通信可能に構成される通信部を備え、
前記管理装置は、前記通信部を介して前記異常の継続時間を取得し、前記異常の継続時間と、前記異常が発生した遊技機と、を関連付けて前記データベースに記憶する、
リユース管理システム。
【請求項１１】
前記管理装置は、前記制御基板の稼働時間と、前記制御基板が搭載された前記遊技機と、を関連付けて前記データベースに記憶する、
請求項１０に記載のリユース管理システム。
【請求項１２】
制御基板及び冷却ファンを備える遊技機を制御するための制御方法であって、
前記冷却ファンの異常の継続時間を計測する計測ステップと、
前記制御基板に設けられた記憶部に、前記異常の継続時間に関する情報を記憶する記憶ステップと、
前記制御基板と管理装置とを接続する接続ステップと、
前記管理装置により、前記記憶部から前記異常の継続時間に関する情報を読み取る読取ステップと、
を備える制御方法。
【請求項１３】
前記異常の継続時間に関する情報は、前記異常の継続時間が予め定められた閾値以上又は前記閾値を上回るかどうかを示す情報、又は、前記異常の継続時間を表す情報である、
請求項１２に記載の制御方法。
【請求項１４】
前記異常の継続時間が予め定められた閾値以上又は前記閾値を上回る場合、前記遊技機にその旨を表示させる表示ステップを備える、
請求項１２又は請求項１３に記載の制御方法。
【請求項１５】
前記管理装置により、前記異常の継続時間と、前記異常が発生した遊技機と、を関連付けてデータベースに記憶する記憶ステップを備える、
請求項１２〜請求項１４の何れか１つに記載の制御方法。
【請求項１６】
前記管理装置により、前記異常の継続時間が前記制御基板、前記遊技機又は前記遊技機に組み込まれる表示装置の少なくとも１つをリユース可能な時間であるか否かについての情報を前記データベースに記憶するリユース可否判断記憶ステップを備える、
請求項１２〜請求項１５の何れか１つに記載の制御方法。
【請求項１７】
前記記憶部に記憶された前記異常の継続時間に関する情報は、前記制御基板、前記遊技機又は前記表示装置の少なくとも１つがリユースされた後でも前記記憶部に記憶される、
請求項１２〜請求項１６の何れか１つに記載の制御方法。
【請求項１８】
冷却ファンを備える表示装置の制御基板であって、
前記制御基板は、制御部及び記憶部を備え、
前記制御部は、前記冷却ファンの異常の発生及び前記異常の継続時間を検出可能に構成され、且つ、前記異常の継続時間に関する情報を前記記憶部に記憶するように構成される、
制御基板。
【発明の詳細な説明】
【技術分野】
【０００１】
本発明は、冷却ファンを備える遊技機／表示装置用の制御基板、前記制御基板が組み込まれた遊技機、前記制御基板を備えた表示装置、リユース管理システム及び冷却ファンを備える遊技機を制御するための制御方法に関する。
【背景技術】
【０００２】
遊技機を構成する種々の機器は、設置場所から回収した後にリユース（再利用）される場合がある。このとき、かかる機器がリユース対象として機能し得るか否かについての検査がなされる。
【０００３】
特許文献１には、リユースされる遊技機用電子素子の使用履歴を管理することができる遊技機用電子素子の管理方法の提供を目的とし、外観検査装置が、遊技機用電子素子の面に予め捺印されている当該遊技機用電子素子の使用開始時期に関する情報と当該遊技機用電子素子の使用限度期間の情報とに基づいて当該遊技機用電子素子がリユース可能であるか否かを判断し、前記遊技機用電子素子がリユース可能である場合には、捺印装置が、当該遊技機用電子素子の面に当該遊技機用電子素子の使用履歴に関する情報を捺印することを特徴とする遊技機用電子素子の管理方法が開示されている。
【先行技術文献】
【特許文献】
【０００４】
【特許文献１】特開２０１２−２２８２９４号公報
【発明の概要】
【発明が解決しようとする課題】
【０００５】
遊技機に備えられる冷却ファンに何らかの要因により異常が発生した場合には、冷却ファンの周囲の温度が上昇し、遊技機に備えられる種々の電子部品に悪影響を与えてしまうことがある。しかし、特許文献１に開示される方法では、遊技機用電子素子の使用開始時期に関する情報と、遊技機用電子素子の使用限度期間の情報とに基づいて当該遊技機用電子素子がリユース可能であるか否かが判断されるものの、冷却ファンの異常については考慮されていない。
【０００６】
本発明はこのような事情に鑑みてなされたものであり、冷却ファンの異常に起因する悪影響を把握可能とし、遊技機を構成する種々の機器のリユースに供することが可能な制御基板、遊技機、表示装置、リユース管理システム及び制御方法を提供するものである。
【課題を解決するための手段】
【０００７】
本発明によれば、冷却ファンを備える遊技機用の制御基板であって、前記制御基板は、制御部及び記憶部を備え、前記制御部は、前記冷却ファンの異常の発生及び前記異常の継続時間を検出可能に構成され、且つ、前記異常の継続時間に関する情報を前記記憶部に記憶するように構成される、制御基板が提供される。
【０００８】
本発明によれば、冷却ファンに異常が発生した場合、異常の継続時間に関する情報を記憶する。これにより、遊技機を回収した後に冷却ファンの異常継続時間に関する情報を適切に把握することが可能になる。かかる異常継続時間に関する情報により、遊技機を構成する機器がリユース可能か否かについての判断を容易に下すことが可能となる。
【０００９】
以下、本発明の種々の実施形態を例示する。以下に示す実施形態は互いに組み合わせ可能である。
好ましくは、前記異常の継続時間に関する情報は、前記異常の継続時間が予め定められた閾値以上又は前記閾値を上回るかどうかを示す情報、又は、前記異常の継続時間を表す情報である。
好ましくは、前記記憶部は、不揮発性メモリにより構成される。
好ましくは、前記制御部は、前記制御基板の稼働時間を前記記憶部に記憶するように構成される。
好ましくは、上記の何れか１つに記載の制御基板が組み込まれた遊技機が提供される。
好ましくは、前記冷却ファンの異常を検出する異常検出部を備え、前記異常検出部は、前記異常の発生を前記制御部に通知するように構成される。
好ましくは、前記制御部は、前記異常の継続時間を計測するように構成される。
好ましくは、前記異常が発生した旨を報知する報知部を備える。
好ましくは、上記の何れか１つに記載の制御基板を備え、且つ遊技機に組み込まれる表示装置が提供される。
好ましくは、上記の何れか１つに記載の遊技機と、管理装置と、データベースと、を備えるリユース管理システムであって、前記遊技機は、前記管理装置と通信可能に構成される通信部を備え、前記管理装置は、前記通信部を介して前記異常の継続時間を取得し、前記異常の継続時間と、前記異常が発生した遊技機と、を関連付けて前記データベースに記憶する、リユース管理システムが提供される。
好ましくは、前記管理装置は、前記制御基板の稼働時間と、前記制御基板が搭載された前記遊技機と、を関連付けて前記データベースに記憶する。
好ましくは、制御基板及び冷却ファンを備える遊技機を制御するための制御方法であって、前記冷却ファンの異常の継続時間を計測する計測ステップと、制御基板に設けられた記憶部に、前記異常の継続時間に関する情報を記憶する記憶ステップと、前記制御基板と管理装置とを接続する接続ステップと、前記管理装置により、前記記憶部から前記異常の継続時間に関する情報を読み取る読取ステップと、を備える制御方法が提供される。
好ましくは、前記異常の継続時間に関する情報は、前記異常の継続時間が予め定められた閾値以上又は前記閾値を上回るかどうかを示す情報、又は、前記異常の継続時間を表す情報である。
好ましくは、前記異常の継続時間が予め定められた閾値以上又は前記閾値を上回る場合、前記遊技機にその旨を表示させる表示ステップを備える。
好ましくは、前記管理装置により、前記異常の継続時間と、前記異常が発生した遊技機と、を関連付けてデータベースに記憶する記憶ステップを備える。
好ましくは、前記管理装置により、前記異常の継続時間が前記制御基板、前記遊技機又は前記遊技機に組み込まれる表示装置の少なくとも１つをリユース可能な時間であるか否かについての情報を前記データベースに記憶するリユース可否判断記憶ステップを備える。
好ましくは、前記記憶部に記憶された前記異常の継続時間に関する情報は、前記制御基板、前記遊技機又は前記遊技機に組み込まれる表示装置の少なくとも１つがリユースされた後でも前記記憶部に記憶される。
好ましくは、冷却ファンを備える表示装置の制御基板であって、前記制御基板は、制御部及び記憶部を備え、前記制御部は、前記冷却ファンの異常の発生及び前記異常の継続時間を検出可能に構成され、且つ、前記異常の継続時間に関する情報を前記記憶部に記憶するように構成される、制御基板が提供される。
【図面の簡単な説明】
【００１０】
【図１】本発明の一実施形態に係るリユース管理システム１００であって、遊技機１０、管理装置５及びデータベース６により構成されるリユース管理システム１００の構成図である。
【図２】データベース６に記憶される情報の一例を表す図である。
【発明を実施するための形態】
【００１１】
以下、図面を用いて本発明の実施形態について説明する。以下に示す実施形態中で示した各種特徴事項は、互いに組み合わせ可能である。
【００１２】
以下、図１及び図２を用いて、本発明の一実施形態に係るリユース管理システム１００であって、遊技機１０、管理装置５及びデータベース６により構成されるリユース管理システム１００について説明する。
【００１３】
＜遊技機１０＞
遊技機１０は、表示装置２が組み込まれたものであり、例えばパチンコ機である。遊技機１０は、少なくとも表示装置２、冷却ファンユニット３及び通信部４を備える。遊技機１０は、パチンコ玉のような遊技媒体が特定の入賞口を通過するか否かをセンサ等によって検出し、その検出結果に基づいて当たり判定を行うものである。かかる判定結果は、図柄等として遊技機１０に組み込まれた表示装置２に表示され、遊技者に通知される。
【００１４】
表示装置２は、遊技機１０に組み込まれるものであり、制御基板１、表示パネル２１、表示パネル駆動回路２２及び報知部２３を備える。表示パネル２１は、図柄等を表示するものであり、液晶ディスプレイ、有機ＥＬディスプレイ等を利用することができる。表示パネル駆動回路２２は表示パネル２１を駆動する駆動信号を生成し、表示パネル２１を駆動するものである。報知部２３は、後述する冷却ファン３１の異常が発生した旨を報知するものである。
【００１５】
制御基板１は表示装置２、冷却ファンユニット３及び通信部４を制御するものであり、制御部１１及び記憶部１２を備える。制御部１１は、図示しない記憶装置に記憶されたプログラムを読み出して種々の演算処理を実行するものであり、例えば、ＣＰＵ等により構成される。記憶部１２は、種々のデータやプログラムを記憶するものであり、例えば、メモリ、ＨＤＤ又はＳＳＤ等により構成される。本実施形態では、記憶部１２は不揮発性メモリにより構成される。
【００１６】
ここで、本発明者らは、遊技機１０、又は遊技機１０を構成する種々の機器がリユース対象として機能し得るか否かを検査するときに、冷却ファン３１に異常が発生した場合における異常の継続時間（以下、異常継続時間という）が種々の機器の性能に大きく寄与することを発見した。ここで、本実施形態では、種々の機器には制御基板１や表示装置２が含まれる。例えば、冷却ファン３１が異常停止した場合の異常継続時間が予め定められた時間を超えた場合、遊技機１０内の温度が上昇し、制御基板１が性能を維持可能な温度を超えてしまう。また、遊技機１０を構成する他の電子部品や、表示装置２の表示面（液晶パネル等）についても同様である。したがって、異常継続時間を適切に把握することにより、制御基板１、遊技機１０又は表示装置２の少なくとも１つをリユース対象とするか否かについての判断が容易になるとのアイデアに辿り着いた。このため、以下に説明する冷却ファンユニット３には、異常継続時間を計測するための機能が実装されるのである。以下、冷却ファンユニット３について説明する。
【００１７】
冷却ファンユニット３は、遊技機１０の内部を冷却するためのものであり、冷却ファン３１及び異常検出部３２を備える。冷却ファン３１は遊技機１０の内部に設けられたファンである。また、冷却ファン３１は、制御部１１により動作が制御及び監視される。異常検出部３２は、冷却ファン３１の動作異常を検出し、異常の発生を制御部１１に通知するものである。かかる異常としては、例えば冷却ファン３１の回転数の低下及び冷却ファン３１の停止が挙げられる。ここで、冷却ファン３１の回転数が予め定められた回転数を下回る場合や、冷却ファン３１の回転時に生成される信号を検出できなかった場合に、異常検出部３２により異常が検出され、冷却ファン３１に異常が発生したと判断される。異常検出部３２によって異常が検出された場合に、制御部１１は異常継続時間を計測する。制御部１１は、例えば、所定の時間間隔（例：１０ｍｓ）で異常検出部３２による異常の検出が継続しているか否かをモニターすることで、異常継続時間を計測する。
【００１８】
ここで、制御部１１は、異常の継続時間に関する情報を記憶部１２に記憶するように構成される。異常の継続時間に関する情報は、異常の継続時間が予め定められた閾値以上又は前記閾値を上回るかどうかを示す情報、又は、異常の継続時間を表す情報等である。本実施形態では、異常検出部３２により検出された異常の有無と、計測した異常継続時間を記憶部１２に記憶するように構成される。あわせて、制御部１１は、制御基板１、遊技機１０及び遊技機１０に組み込まれる表示装置２の少なくとも１つの稼働時間を記憶部１２に記憶するように構成される。本実施形態では、制御部１１は、制御基板１、遊技機１０及び表示装置２の稼働時間を記憶部１２に記憶する。
【００１９】
通信部４は、他の情報処理装置と種々のデータを送受信するものであり、任意のＩ／Ｏにより構成される。
【００２０】
各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納しているものであってもよく、コンピュータ読み取り可能な非一時的な記録媒体に格納しているものであってもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。
【００２１】
＜管理装置５及びデータベース６＞
管理装置５は、任意の情報処理装置により構成されるものであり、遊技機１０及びデータベース６と通信可能に構成される。ここで、管理装置５と遊技機１０との通信は、制御基板１を検査する任意の検査治具を介して実現される。店舗から回収された遊技機１０に対して、管理装置５は、検査治具を介して冷却ファン３１の異常継続時間を記憶部１２から読み取り、異常継続時間と異常が発生した遊技機１０を対応付けてデータベース６に記憶する。本実施形態では、異常継続時間に加え、制御基板１の稼働時間を遊技機１０と対応付けてデータベース６に記憶する。
【００２２】
図２は、データベース６に記憶される情報の一例を表すテーブルである。本実施形態では、店舗に設置された複数の遊技機１０を特定するＩＤごとに、異常継続時間、制御基板稼働時間、遊技機稼働時間及び表示装置稼働時間を対応付けてテーブルを生成し、データベース６に記憶する。ここで、図中の閾値は、リユース可能か否かについての判定に用いるものであり、異常継続時間、制御基板稼働時間、遊技機稼働時間及び表示装置稼働時間ごとに予め設定される。本実施形態では、冷却ファン３１の異常継続時間の閾値を１５秒、制御基板稼働時間の閾値を１，５００時間、遊技機稼働時間の閾値を２，０００時間、表示装置稼働時間の閾値を３，０００時間としている。
【００２３】
例えば、ＩＤ００１で特定される遊技機１０の場合、異常継続時間が１０秒で閾値１５秒を下回り、制御基板稼働時間が５００時間で閾値１，５００時間を下回る。この場合、制御基板１はリユース可と判定される。ＩＤ００２で特定される遊技機１０の場合、異常継続時間３０秒及び制御基板稼働時間１，６００時間のいずれも閾値を上回るため、制御基板１はリユース不可と判定される。ＩＤ００９で特定される遊技機１０の場合、制御基板稼働時間１，０００時間は閾値を下回るが、異常継続時間２０秒が閾値を上回るため、制御基板１はリユース不可と判定される。ＩＤ０１０で特定される遊技機１０の場合、回収時点において異常継続時間が記録されていない、つまり、冷却ファン３１に異常が発生していないが、制御基板稼働時間１，７５０時間が閾値を上回るため、制御基板１はリユース不可と判定される。
【００２４】
遊技機稼働時間についても、制御基板稼働時間と同様に、閾値と比較し、異常継続時間と遊技機稼働時間がともに「○」判定であれば、遊技機１０はリユース可と判定される。ここで、本実施形態では、回収前における制御基板１及び遊技機１０がともに未使用の状態であったので、制御基板稼働時間と遊技機稼働時間は同じになる。
【００２５】
一方、表示装置２については、回収前においてすでにリユース対象となっていたので、表示装置稼働時間は制御基板稼働時間及び遊技機稼働時間と比べて長くなっている。表示装置２についても、制御基板稼働時間と同様に、閾値と比較し、異常継続時間と表示装置稼働時間がともに「○」判定であれば、表示装置２はリユース可と判定される。
【００２６】
ここで、本実施形態では、かかる判定結果をデータベース６に記憶する。ここで、かかる判定結果が、異常の継続時間が制御基板１、遊技機１０又は遊技機１０に組み込まれる表示装置２の少なくとも１つをリユース可能な時間であるか否かについての情報に相当する。
【００２７】
＜異常発生時における遊技機１０の制御方法＞
次に、異常発生時における遊技機１０の制御方法について説明する。
【００２８】
１．検出ステップ
遊技機１０の稼働時において冷却ファン３１に異常が発生した場合、異常検出部３２によりかかる異常が検出される。かかる異常は制御部１１に通知され、制御部１１が報知部２３を制御することにより、異常が発生した旨を報知する。具体的には、報知部２３から報知信号が制御部１１及び表示パネル駆動回路２２に送信され、制御部１１が表示パネル駆動回路２２を制御することで表示パネル２１に異常が発生した旨を表示させる。かかる表示内容は特に限定されず、例えば、「冷却ファン３１に異常が発生しました。遊技機１０の電源をお切り下さい。」等と表示させてもよい。また、表示パネル２１に表示させる代わりに、別途設けられるＬＥＤを用いて報知したり、別途設けられるスピーカを用いて音で報知させたりしてもよい。
【００２９】
２．計測ステップ及び記憶ステップ
そして、制御部１１により異常継続時間が計測される。異常継続時間は定期的又は所定のタイミングで記憶部１２に記憶される。ここで、異常継続時間が定期的に記憶部１２に記憶される場合には、制御部１１により制御された表示パネル駆動回路２２により表示パネル２１に異常継続時間を表示させる態様としてもよい。
【００３０】
３．接続ステップ
次に、回収された遊技機１０を管理装置５に接続する。具体的には、管理装置５に上述の検査治具を接続し、かかる検査治具を介して制御基板１と管理装置５を接続する。なお、かかる接続手法は単なる例示であり、例えば任意のケーブルにより遊技機１０と管理装置５を接続する態様とすることもできる。
【００３１】
４．読取ステップ
次に、管理装置５により、記憶部１２に記憶された異常継続時間及び制御基板稼働時間、遊技機稼働時間及び表示装置稼働時間が読み取られる。
【００３２】
５．記憶ステップ及びリユース可否判断記憶ステップ
あわせて、管理装置５は、異常継続時間と異常が発生した遊技機１０を関連付けたテーブルを生成し、データベース６に記憶する。また、管理装置５は、異常継続時間と予め定められた閾値との比較結果、制御基板稼働時間、遊技機稼働時間及び表示装置稼働時間と予め定められた閾値との比較結果、及び、これら比較結果に基づく制御基板１、遊技機１０及び表示装置２のリユース可否判定結果をデータベース６に記憶する。これにより、図２に示されるテーブルが生成される。
【００３３】
６．表示ステップ
次に、管理装置５は、上記の判定結果を遊技機１０の表示装置２に表示させる。かかる表示内容は特に限定されず、異常継続時間そのものや、図２に示される○又は×を表示装置２に表示させることができる。ここで、かかる比較を管理装置５により実行することに代えて、遊技機１０に含まれる制御部１１により実行してもよい。これにより、遊技機１０の回収者は、表示装置２に表示された情報により、制御基板１をリユース対象とするか否かについて選別することが容易になる。
【００３４】
以上説明した種々のステップにより、本実施形態に係る遊技機１０の制御方法が実現される。ここで、一度リユースされた制御基板１、遊技機１０及び表示装置２を再び回収した場合、これらが２度目以降のリユース対象として適切か否かについて判断するために、記憶部１２に記憶された異常継続時間は、制御基板１、遊技機１０及び表示装置２がリユースされた後でも記憶部１２に記憶されたままとすることが好ましい。
【００３５】
以上説明したように、本発明の一実施形態に係る制御基板１、表示装置２、遊技機１０、リユース管理システム１００及び制御方法は、冷却ファン３１の異常継続時間を記憶し、管理装置５により読み取ることにより、制御基板１、遊技機１０及び表示装置２の少なくとも一１つをリユース対象とするか否かについての判断を容易に下すことが可能になる。さらに、管理装置５により遊技機１０と異常継続時間、制御基板稼働時間、遊技機稼働時間及び表示装置稼働時間を対応付けてデータベース６に記憶することにより、複数の遊技機１０の状態を管理することができる。
【００３６】
＜その他＞
以上、種々の実施形態について説明したが、本発明に係る制御基板１、表示装置２、遊技機１０及びリユース管理システム１００はこれらに限定されない。
【００３７】
例えば、回収された遊技機１０の記憶部１２に記憶された情報を管理装置５により読み取る構成に代えて、回収前であっても、記憶部１２に記憶された情報を有線又は無線ネットワークにより管理装置５に送信する構成としてもよい。
【００３８】
また、制御部１１による制御のもと、計測した異常継続時間を記憶部１２に定期的に記憶し、遊技機１０の電源が切られたときには電源が切られるまでの時間を異常継続時間としてもよい。また、記憶部１２は異常継続時間を記憶するのに代えて、異常継続時間が閾値を上回ったか否かの情報のみを記憶してもよい。また、異常継続時間が閾値以上か否かの情報を記憶してもよい。
【００３９】
また、遊技機１０は、パチンコ機以外により構成されてもよい。例えば、遊技機１０として、パチスロゲーム機やブラックジャック等のカジノゲーム機を利用することもできる。
【００４０】
また、図２における閾値は一例であり、任意の値を採用することができる。また、制御基板稼働時間、遊技機稼働時間及び表示装置稼働時間の少なくとも１つを記憶してもよい。
【００４１】
また、管理装置５は、ＰＣ、サーバ、コンピュータ又は情報処理装置を備えた検査治具として提供することができる。また、管理装置５の機能を実装したコンピュータ読み取り可能な非一時的な記録媒体として提供することもできる。また、管理装置５の機能を実現するプログラムを、インターネット等を介して配信することもできる。また、管理装置５を構成する各部は、同じ筐体に含まれてもよく、複数の筐体に分散配置されてもよい。また、管理装置５とデータベース６が一体として構成されてもよい。
【００４２】
また、制御基板１が表示装置２に含まれることなく、遊技機１０内のいずれかに含まれる態様としてもよい。例えば、遊技機１０の主制御基板、副制御基板、電源基板として構成してもよい。
【００４３】
さらに、冷却ファン３１を備える表示装置２の制御基板として、制御基板１を利用することもできる。
【符号の説明】
【００４４】
１：制御基板
１１：制御部
１２：記憶部
２：表示装置
２１：表示パネル
２２：表示パネル駆動回路
２３：報知部
３：冷却ファンユニット
３１：冷却ファン
３２：異常検出部
４：通信部
５：管理装置
６：データベース
１０：遊技機
１００：リユース管理システム
【図１】
2018130160.tif 000003
【図２】
2018130160.tif 000004